(57)【特許請求の範囲】
【請求項１】
支軸を介して一端を開閉可能に連結される一対の長軸を有する把持部を備えるクリップであって、
この一対の把持部は、その対向する側部にそれぞれ凹部が形成されるとともに長手方向に沿って挟持部がそれぞれ設けられ、
この挟持部は、前記支軸から前記一端にかけて緩やかに湾曲するとともに先端部同士が近接するように形成され、噛合可能に少なくともこの先端部に凹凸面が形成され、かつ前記把持部と別体的に形成されるとともに、前記把持部に対して基端部に設けられる傾動軸を中心として傾動自在に取り付けられ、
前記先端部を前記一端から遠ざける方向に付勢する第１の弾性体が前記先端部と前記一端との間に設けられることを特徴とするクリップ。
【請求項２】
支軸を介して一端を開閉可能に連結される一対の長軸を有する把持部を備えるクリップであって、
この一対の把持部は、その対向する側部にそれぞれ凹部が形成されるとともに長手方向に沿って挟持部がそれぞれ設けられ、
この挟持部は、前記支軸から前記一端にかけて緩やかに湾曲するとともに先端部同士が近接するように形成され、噛合可能に少なくともこの先端部に凹凸面が形成され、かつ前記把持部と別体的に形成されるとともに、前記把持部に対して前記先端部と基端部の間に設けられる傾動軸を中心として傾動自在に取り付けられ、
前記先端部を前記一端から遠ざける方向に付勢する第２の弾性体が対向する一対の前記基端部同士の間に設けられることを特徴とするクリップ。
【請求項３】
支軸を介して一端を開閉可能に連結される一対の長軸を有する把持部を備えるクリップであって、
この一対の把持部は、その対向する側部にそれぞれ凹部が形成されるとともに長手方向に沿って挟持部がそれぞれ設けられ、
この挟持部は、前記支軸から前記一端にかけて緩やかに湾曲するとともに先端部同士が近接するように形成され、噛合可能に少なくともこの先端部に凹凸面が形成され、
前記把持部は、前記一端から前記支軸までを構成する把持片と、前記支軸から他端までを構成する操作片と、からなり、前記把持片は、前記操作片に対しスライド可能かつ回動可能に連結部材を介して連結されることを特徴とするクリップ。
【発明の詳細な説明】
【技術分野】
【０００１】
本発明は、支軸を介して一端を開閉可能に連結される一対の把持部を備えるクリップに係り、特に、把持部に設けられる挟持部が支軸から一端にかけて緩やかに湾曲するクリップに関する。
【背景技術】
【０００２】
まず、従来技術であるクリップについて、図６を参照しながら説明する。
図６に示すように、クリップ１００は、支軸１０１を介して一端１０２ａ，１０２ａを開閉可能に連結される一対の把持部１０２，１０２が備えられる。把持部１０２，１０２の内側面は、それぞれ電線や端子又はシート材といった被挟持物を挟持するための挟持部１０２ｂ，１０２ｂであって、通常金属や合成樹脂といった剛性を有する材質によって形成されている。
しかし、挟持部１０２ｂ，１０２ｂは、いずれも長手方向に沿って直線状に形成されているため、被挟持物が例えばシート材である場合には、外力が加えられることによってこのシート材が容易に位置ズレしたり、落下したりするという課題があった。
また、挟持部１０２ｂ，１０２ｂは、剛性を有する材質によって形成されていることから、被挟持物の破損や傷付きが発生するという課題もあった。
そこで、このような課題を解決する目的で、近年、クリップに関する技術が開発されており、それに関して既に考案や発明が開示されている。
【０００３】
特許文献１には「接続端子用クリップ」という名称で、複数の端子を同時に接触保持可能な接続端子用クリップに関する考案が開示されている。
以下、特許文献１に開示された考案について説明する。特許文献１に開示された接続端子用クリップに関する考案は、絶縁基板の導電面とそれぞれ接触するクリップ可動片の各対向側面に弾性保持面が形成されたことを特徴とする。
このような特徴を備えた接続端子用クリップにおいては、ゴム等からなる弾性保持面が備えられているため、端子のような比較的厚さの薄い被挟持物を確実に接触保持することができる。
【０００４】
次に、特許文献２には「クリップ式コネクタ」という名称で、挟持内面に弾性材料から形成された押圧部材を有するクリップ式コネクタに関する発明が開示されている。
特許文献２に開示された発明は、シート状のプリント配線基板を支持する基台と、基台に揺動自在に取り付けられ、基台とともにプリント配線基板を挟持する閉じ位置、及びプリント配線基板の着脱を可能にする開き位置との間で移動するアームと、アームを前記閉じ位置に移動したときにプリント配線基板と接触して導通を得る接触子とを備えるクリップ式コネクタにおいて、接触子とは別体に設けられ、アームを前記閉じ位置に移動したときにプリント配線基板を基台に押さえ付けるとともに、アームを開き位置に移動させたときにプリント配線基板の押え付けを解除する押圧部材を備えることを特徴とする。
このような特徴を有するクリップ式コネクタにおいては、基板ストッパーと押圧部材によって、プリント配線基板が位置ズレしたり、アーム及び基台の間からプリント配線基板が抜けたりすることを防止可能である。また、押圧部材として、樹脂材料で形成された弾性体が用いられることから、接触子やプリント配線基板の破損・傷付き・汚れ等を防止できる。
【先行技術文献】
【特許文献】
【０００５】
【特許文献１】実開昭６２−１５６８８２号公報
【特許文献２】特開２００８−２３５２１７号公報
【発明の概要】
【発明が解決しようとする課題】
【０００６】
しかしながら、特許文献１に開示された考案においては、被挟持物が例えば一定径以上を有する電線である場合には、支点部に近い奥寄りに一方の電線を挟持するとともに先端寄りに他方の電線を挟持すると、先端寄りの電線の表面に弾性保持面が接触し難い。そのため、先端寄りの電線を落下させてしまう可能性がある。特に、先端寄りの電線の径が奥寄りの電線の径よりも小さい場合には、この可能性が高くなる。
【０００７】
次に、特許文献２に開示された発明においては、基板ストッパーの第２ストッパー部は、基台の長手方向に沿って直線的に形成されているため、特許文献１に開示された考案と同様に、複数本の電線を確実に挟持することができない可能性がある。
【０００８】
本発明は、このような従来の事情に対処してなされたものであり、電線が挟持される位置に関わらず、確実に複数本の電線を挟持可能なクリップを提供することを目的とする。
【課題を解決するための手段】
【０００９】
上記目的を達成するため、請求項１記載の発明に係るクリップは、支軸を介して一端を開閉可能に連結される一対の長軸を有する把持部を備えるクリップであって、この一対の把持部は、その対向する側部にそれぞれ凹部が形成されるとともに長手方向に沿って挟持部がそれぞれ設けられ、この挟持部は、支軸から一端にかけて緩やかに湾曲するとともに先端部同士が近接するように形成され、噛合可能に少なくともこの先端部に凹凸面が形成され、かつ把持部と別体的に形成されるとともに、把持部に対して基端部に設けられる傾動軸を中心として傾動自在に取り付けられ、先端部を一端から遠ざける方向に付勢する第１の弾性体が先端部と一端との間に設けられることを特徴とする。
このような構成のクリップにおいては、「一対の把持部は、長手方向に沿って挟持部がそれぞれ設けられる」ため、挟持部は把持部と別体的に形成されるが、少なくとも連続的な長尺状の面を有する。また、「挟持部は、支軸から一端にかけて緩やかに湾曲するとともに先端部同士が近接するように形成され」とは、挟持部は全長に亘って湾曲していると同時に、挟持部の先端部に向かうほど対向する挟持部同士の間隔が徐々に狭まるような形状となっていることを意味している。なお、先端部同士が近接する限り湾曲の形状は限定されず、挟持部に沿った曲率は全長に亘って一定でなくても良い。特に支軸付近では湾曲の曲率がわずかであっても良い。そして、「凹凸面」とは、挟持部同士の対向する面が、凹凸状に形成され、長手方向に直交する断面が矩形状や鋸歯状の噛合面をなしていることをいう。なお、挟持部は、被挟持物への過剰な衝撃を軽減するため、表面が弾性材で形成されることが望ましい。また、基端部及び先端部は、挟持部の両端部のうちそれぞれ支軸及び把持部の一端に近い端部をいう。
【００１０】
上記構成のクリップにおいては、被挟持物は挟持部の連続的な長尺状の面に沿って挟まれた状態で保持される。例えば被挟持物が複数本の電線である場合には、挟持部が湾曲し、しかも挟持部同士の間隔が先端部に向かうほど徐々に狭まるような形状となっていることから、先端寄りの電線も他の電線と同様に挟持部によって保持される。また、支軸に近い奥寄りに太い径の電線を挟持するとともに先端部寄りに細い径の電線を挟持した場合であっても、双方の電線が保持される。
さらに、挟持部同士の対向する面に噛合面が形成されることから、被挟持物に対する圧接力が増加し、被挟持物の落下やズレが防止される。
【００１１】
さらに、上記構成のクリップにおいては、上記の作用に加えて、把持部の一端が閉じられると、挟持部が基端部に設けられる傾動軸を中心として傾動するため、挟持部に沿って配置された被挟持物の表面に挟持部が当接する。このうち先端部は、第１の弾性体によって把持部の一端から遠ざける方向に付勢されることから、先端部に近づくほど被挟持物に対する圧接力が増加する。
また、把持部の一端が閉じられた際に、挟持部が把持部の内部に完全に収容可能に構成される場合では、被挟持物の径によっては、被挟持物が把持部によって挟持される場合も考えられる。
【００１２】
さらに、請求項２記載の発明は、支軸を介して一端を開閉可能に連結される一対の長軸を有する把持部を備えるクリップであって、この一対の把持部は、その対向する側部にそれぞれ凹部が形成されるとともに長手方向に沿って挟持部がそれぞれ設けられ、この挟持部は、支軸から一端にかけて緩やかに湾曲するとともに先端部同士が近接するように形成され、噛合可能に少なくともこの先端部に凹凸面が形成され、かつ把持部と別体的に形成されるとともに、把持部に対して先端部と基端部の間に設けられる傾動軸を中心として傾動自在に取り付けられ、先端部を一端から遠ざける方向に付勢する第２の弾性体が対向する一対の基端部同士の間に設けられることを特徴とする。
上記構成のクリップにおいては、挟持部が先端部と基端部の間に設けられる傾動軸を中心として傾動するとともに、第２の弾性体によって先端部に近づくほど被挟持物に対する圧接力が増加する。
【００１３】
そして、請求項３記載の発明は、支軸を介して一端を開閉可能に連結される一対の長軸を有する把持部を備えるクリップであって、この一対の把持部は、その対向する側部にそれぞれ凹部が形成されるとともに長手方向に沿って挟持部がそれぞれ設けられ、この挟持部は、支軸から一端にかけて緩やかに湾曲するとともに先端部同士が近接するように形成され、噛合可能に少なくともこの先端部に凹凸面が形成され、把持部は、一端から支軸までを構成する把持片と、支軸から他端までを構成する操作片と、からなり、把持片は、操作片に対しスライド可能かつ回動可能に連結部材を介して連結されることを特徴とする。
このような構成のクリップにおいて、「把持片は、この操作片に対しスライド可能かつ回動可能に連結部材を介して連結される」とは、把持片は、連結部材に沿ってスライドすることで操作片に対し離隔又は連結可能であって、離隔後は連結部材を中心として回動可能となっている構造をいう。この連結部材とは、例えば把持片と操作片に両端が嵌合される棒状体や長尺状のスライド部材が考えられる。
上記構成のクリップにおいては、被挟持物を挟持していない状態では挟持部が対向しないように配置される。また、被挟持物を挟持する際には、把持片が回動して挟持部が対向するように配置される。一方で、被挟持物の種類によっては、把持片が回動することなく挟持部以外の面によって被挟持物が保持される。例えば、被挟持物がシート材である場合には、長手方向に沿って直線状をなす把持部によってこれが保持される。
【発明の効果】
【００１４】
本発明の請求項１記載のクリップによれば、被挟持物が複数本の電線である場合には、径の異なる複数本の電線を確実に保持することができる。そのため、クリップ又は電線のいずれかが落下するために発生する事故を未然に防止可能である。したがって、作業の安全性を確保することができる。加えて、挟持部に設けられた噛合面によって電線のズレが発生しないため、クリップの付け直し等をする必要がなく作業時間を短縮することができる。
【００１５】
本発明の請求項１記載のクリップによれば、上記の効果に加えて、挟持部が把持部の開閉に伴い被挟持物の表面に当接することから、被挟持物の形状に適宜対応して、これを保持することが可能である。また、第１の弾性体が設けられるので、より確実に先端部で被挟持物を把持できる。さらに、適切な復元力を有する第１の弾性体を選択することで、被挟持物に対する圧接力を調整することが可能なため、被挟持物の損傷を防止することができる。
【００１６】
本発明の請求項２記載のクリップによれば、請求項１に記載の発明と同様の効果を有する。
【００１７】
本発明の請求項３記載のクリップによれば、挟持部によって異なる径の電線を確実に保持することが可能であるとともに、これ以外の把持部によって従来技術と同様にシート材を保持することができる。したがって、形状が異なる２種類のクリップを所持する必要がなく、便利である。
【図面の簡単な説明】
【００１８】
【図１】（ａ）及び（ｂ）はそれぞれ実施例１に係るクリップの平面図であり、（ｃ）は実施例１に係るクリップを構成する挟持部の断面図である。
【図２】（ａ）及び（ｂ）は、それぞれ実施例１の変形例に係るクリップの平面図である。
【図３】（ａ）及び（ｂ）は、それぞれ実施例２に係るクリップの平面図である。
【図４】（ａ）は実施例２に係るクリップの平面図であり、（ｂ）は（ａ）のＡ−Ａ線矢視断面図である。
【図５】（ａ）は実施例２に係るクリップの長手方向に沿った断面図であり、（ｂ）及び（ｃ）はそれぞれ（ａ）におけるＢ−Ｂ線矢視断面図及びＣ−Ｃ線矢視断面図である。
【図６】従来技術に係るクリップの平面図である。
【発明を実施するための形態】
【実施例１】
【００１９】
本発明の実施の形態に係る実施例１のクリップについて、図１及び図２を用いて詳細に説明する（主に、請求項１に対応）。図１（ａ）及び図１（ｂ）はそれぞれ実施例１に係るクリップの平面図であり、図１（ｃ）は実施例１に係るクリップを構成する挟持部の断面図である。
図１（ａ）及び図１（ｂ）に示すように、本実施例のクリップ１は、支軸２を介して一端３ａ，３ａを開閉可能に連結される一対の把持部３，３が備えられる。支軸２には、一端３ａ，３ａが互いに閉じるように付勢する金属製のねじりバネが巻回されている（図示せず）。したがって、ヤットコ等で他端３ｂ，３ｂ同士を開閉する操作を行うと、一端３ａ，３ａが開閉される構造となっている。そして、把持部３，３の対向する側部３ｃ，３ｃは、一端３ａ，３ａ付近で直線状を成しているがこれに連なる２箇所において浅い凹部が形成されている。また、把持部３，３の断面は略コ字状をなしており、この略コ字状の内部に挟持部４，４が把持部３，３の長手方向に沿ってそれぞれ把持部３，３と別体的に設けられる。
【００２０】
挟持部４は、支軸２付近から一端３ａにかけて緩やかに湾曲するとともに先端部４ａ，４ａ同士が近接するように形成される。すなわち、把持部３，３を閉じたときに先端部４ａに向かうほど対向する挟持部４，４同士の間隔が徐々に狭まるような形状となっている。また、挟持部４は、把持部３に対して基端部４ｂに設けられる傾動軸５を中心として傾動自在に取り付けられる。この傾動軸５は、挟持部４を貫通して設けられ両端が把持部３に固着されている。さらに、先端部４ａを一端３ａから遠ざける方向に付勢するコイルバネ６が、両端をそれぞれ先端部４ａと一端３ａに設けられた孔部（図示せず）に係止されて設けられる。加えて、上側の挟持部４と下側の挟持部４が対向する面には、先端部４ａ，４ａから基端部４ｂ，４ｂに亘って、図１（ｃ）に示すように、互いに噛合可能な矩形状の凹面４ｃと凸面４ｄが形成される。この凹面４ｃと凸面４ｄは、上側の挟持部４と下側の挟持部４のそれぞれいずれかの内側面によって形成されるものであり、上下の挟持部４，４のいずれかは特定されなくともよい。
なお、把持部３及び傾動軸５は金属によって形成され、挟持部４の表面はある程度弾力性を有する合成樹脂で形成されている。また、挟持部４は、傾動軸５及びコイルバネ６と接触する部分を金属材で被覆され（図示せず）、これらの部分の損傷が防止される構造となっている。
【００２１】
図１（ａ）に示すように、本実施例のクリップ１においては、他端３ｂ，３ｂ同士を閉じるように操作すると、一端３ａ，３ａが開く。このとき、被挟持物を挟持部４，４の間へ通過させるための間隔が確保されるように、コイルバネ６，６の長さはそれぞれ調整されている。
次に、図１（ｂ）に示すように、被挟持物が径の異なる２本の電線１２ａ，１２ｂであった場合、クリップ１の一端３ａ，３ａを閉じると、基端部４ｂ，４ｂでは把持部３，３に押されて傾動軸５，５同士の間隔が狭められる。また、先端部４ａ，４ａでは、電線１２ａ，１２ｂによってコイルバネ６，６が収縮する。この結果、電線１２ａ，１２ｂは挟持部４，４によって圧接され、保持されることとなる。このとき、コイルバネ６，６によって先端部４ａ，４ａに近づくほど被挟持物に対する圧接力が増加するとともに、凹面４ｃと凸面４ｄが互いに噛合するため、電線１２ａ，１２ｂがずれたり先端部４ａ，４ａの間から脱落したりすることが防止される。
また、他端３ｂ，３ｂを操作することにより一端３ａ，３ａが開かれると、直ちに電線１２ａ，１２ｂに対する挟持部４，４の圧接が解除され、電線１２ａ，１２ｂも開放される。
【００２２】
以上説明したように、本実施例のクリップ１によれば、挟持部４，４によって径の異なる複数本の電線を確実に保持することができる。なお、支軸２寄りに細い径の電線１２ａを挟持し先端部４ａ寄りに太い径の電線１２ｂを挟持する場合であっても、側部３ｃ，３ｃと挟持部４，４によってこれらの電線１２ａ，１２ｂを保持可能な場合がある。すなわち、電線の径や本数に適宜対応して、これらを保持することが可能である。したがって、クリップ１から電線１２ａ，１２ｂのいずれかが脱落することによる事故を未然に防止可能であり、作業の安全性を確保することができる。
さらに、凹面４ｃと凸面４ｄやコイルバネ６，６によって、より確実に電線１２ａ，１２ｂを把持可能であるため、電線１２ａ，１２ｂを把持し直すことが不要となる。したがって、従来技術に係るクリップを使用する場合に比べ、作業時間を短縮することができる。
そして、挟持部４，４はある程度弾力性を有する合成樹脂で形成されていることに加え、適切な復元力を有するコイルバネ６，６を選択することで、電線１２ａ，１２ｂに対する圧接力を調整することが可能なため、凹面４ｃと凸面４ｄ及びコイルバネ６，６の圧接による電線１２ａ，１２ｂの損傷を防止することができる。
【００２３】
次に、実施例１の変形例に係るクリップ１ａについて、図２を用いて詳細に説明する（主に、請求項２に対応）。図２（ａ）及び図２（ｂ）は、それぞれ実施例１の変形例に係るクリップの平面図である。なお、図１で示した構成要素については、図２においても同一の符号を付して、その説明を省略する。
図２（ａ）及び図２（ｂ）に示すように、クリップ１ａにおいては、傾動軸５が挟持部４の先端部４ａと基端部４ｂの間に設けられる。そして、２本のコイルバネ６，６に代えて、１本のコイルバネ６ａが基端部４ｂ，４ｂ同士の間に設けられる。このコイルバネ６ａは、コイルバネ６と同様に先端部４ａを一端３ａから遠ざける方向に付勢する。この他の構成は、実施例１に係るクリップ１と同様である。
【００２４】
図２（ａ）に示すように、本実施例の変形例に係るクリップ１ａにおいては、  他端３ｂ，３ｂの操作により一端３ａ，３ａが開かれると、コイルバネ６ａが先端部４ａを一端３ａから遠ざける方向に付勢することから、先端部４ａ，４ａ同士が近接する。ただし、傾動軸５，５がそれぞれ挟持部４，４の略中央部分に設けられているため、把持部３，３が離隔している状態では先端部４ａ，４ａ同士が当接することが抑制される。したがって、被挟持物を挟持部４，４の間へ通過させるための間隔は確保されている。
次に、図２（ｂ）に示すように、２本の電線１２ａ，１２ｂを挟持する場合、クリップ１の一端３ａ，３ａを閉じると、把持部３，３に押されて傾動軸５同士の間隔が狭められる。そのため、先端部４ａ，４ａが当接可能となる。したがって、電線１２ａ，１２ｂは挟持部４，４によって圧接され、保持されることとなる。この他の作用は、本実施例に係るクリップ１と同様である。
【００２５】
以上説明したように、本実施例の変形例に係るクリップ１ａの効果は、本実施例に係るクリップ１の効果と同様である。
【００２６】
なお、本発明のクリップ１，１ａの構造は本実施例に示すものに限定されない。例えば、挟持部４，４は凹面４ｃと凸面４ｄ以外の端面が金属材等で被覆されていても良い。また、凹面４ｃと凸面４ｄは、硬質ゴムで形成されても良く、鋸歯状であっても良い。さらに、凹面４ｃと凸面４ｄは、基端部４ｂ付近には設けられなくても良い。
【実施例２】
【００２７】
本発明の実施の形態に係る実施例２のクリップについて、図３乃至図５を用いて詳細に説明する（主に、請求項３に対応）。なお、図１及び図２で示した構成要素については、図３乃至図５においても同一の符号を付して、その説明を省略する。図３（ａ）及び図３（ｂ）は、それぞれ実施例２に係るクリップの平面図である。
図３（ａ）及び図３（ｂ）に示すように、本実施例のクリップ７は、実施例１に係るクリップ１の把持部３，３の代わりに、把持部８，８を備える。把持部８は、先端部９ａから基端部９ｂまでを構成する把持片９と、一端１０ａから他端１０ｂまでを構成する操作片１０と、からなり、把持片９は、操作片１０に対しスライド部材１１を介して連結される。さらに、把持片９は、基端部９ｂから先端部９ａにかけて緩やかに湾曲する挟持部９ｃと、その反対側にある側部９ｄと、が接合されて構成される。すなわち、クリップ７は、実施例１に係るクリップ１，１ａと異なり、挟持部９ｃと側部９ｄが一体的に形成されている。なお、挟持部９ｃはある程度弾力性を有する合成樹脂で形成され、側部９ｄは実施例１に係る側部３ｃと同一の材質及び形状である。
また、把持片９は、操作片１０に対しスライド可能（図中Ｘ方向）かつ回動可能（図中Ｙ方向）に構成される。
【００２８】
次に、本実施例に係る実施例２のクリップを構成する把持片９について、図４を用いて詳細に説明する。図４（ａ）は実施例２に係るクリップの平面図であり、図４（ｂ）は図４（ａ）のＡ−Ａ線矢視断面図である。
図４（ａ）に示すように、本実施例のクリップ７では、図３における挟持部９ｃと側部９ｄの配置が入れ替えられている。そのため、対向する挟持部９ｃ，９ｃ同士の間に、２本の電線１２ａ，１２ｂが挟持される。
図４（ｂ）に示すように、挟持部９ｃ，９ｃには、先端部９ａから基端部９ｂに亘って互いに噛合可能な凹凸面９ｅ，９ｆが形成される。
【００２９】
続いて、本実施例に係る実施例２のクリップを構成するスライド部材について、図５を用いて詳細に説明する。図５（ａ）は実施例２に係るクリップの長手方向に沿った断面図であり、図５（ｂ）及び図５（ｃ）はそれぞれ図５（ａ）におけるＢ−Ｂ線矢視断面図及びＣ−Ｃ線矢視断面図である。
図５（ａ）乃至図５（ｃ）に示すように、本実施例のクリップ７を構成するスライド部材１１は、略円筒形状であって、把持片９及び操作片１０にそれぞれ埋設されるスライド片１１ａ，１１ｂから構成される。スライド部材１１の内部には、引きバネであるコイルバネ１１ｃが係止部１１ｄ，１１ｄにより両端を係止されて収容される。また、スライド片１１ａとスライド片１１ｂは入れ子式に構成され、スライド片１１ａはスライド片１１ｂの内壁に沿って摺動可能となっている。なお、把持片９の基端部９ｂに形成された嵌入部９ｇには、操作片１０の一端１０ａに形成された突出部１０ｃが嵌入する構造である。
【００３０】
本実施例に係るクリップ７においては、把持片９をＸ方向へ引っ張ると、突出部１０ｃが嵌入部９ｇから引き出される。そして、把持片９をＹ方向へ回動させた後、把持片９を引っ張ることを止めると、コイルバネ１１ｃの復元力によって突出部１０ｃが嵌入部９ｇへ嵌入される。これにより、把持片９はスライド部材１１を介して操作片１０によって支持されることとなるため、他端１０ｂ，１０ｂ（図３参照）の開閉に伴って先端部９ａ，９ａも開閉する。この開閉は、挟持部９ｃ，９ｃ同士が対向する場合及び側部９ｄ，９ｄ同士が対向する場合のいずれにおいても可能である。したがって、挟持部９ｃ，９ｃ同士が対向する場合においては、図４（ａ）に示すように、２本の電線１２ａ，１２ｂが挟持される。一方、側部９ｄ，９ｄ同士が対向する場合においては、従来技術と同様にシート状の被挟持物が挟持される。
【００３１】
以上説明したように、本実施例に係るクリップ７によれば、挟持部９ｃと側部９ｄが接合されて一体的に把持片９を形成することから、実施例１に係るクリップ１，１ａよりも簡易な構成となっている。そのため、製造が比較的容易である。
また、クリップ７では、把持片９をＸ方向へ引っ張ったり、Ｙ方向へ回動させたりすることが可能なため、挟持部９ｃ，９ｃ同士及び側部９ｄ，９ｄ同士のいずれかをそれぞれ自在に対向させることができる。そのため、電線１２ａ，１２ｂ及びシート状の被挟持物のいずれをも保持することができる。すなわち、持ち運ぶクリップの本数を増加させなくても、形状の異なる被挟持物を保持することが可能である。加えて、挟持部９ｃ，９ｃは、基端部９ｂから先端部９ａにかけて緩やかに湾曲するとともに、凹凸面９ｅ，９ｆが設けられることから、先端部９ａ寄りに細い径の電線１２ａを挟持し基端部９ｂ寄りに太い径の電線１２ｂを挟持する場合であってもこれらの電線１２ａ，１２ｂを損傷させることなく確実に保持することができる。この他の効果は、実施例１のクリップ１と同様である。
【００３２】
なお、本実施例に係るクリップ７の構造は本実施例に示すものに限定されない。例えば、スライド部材１１の代わりに連結部材として棒状体が設けられ、把持片９及び操作片１０を分離可能に構成されても良い。ただし、その場合は、把持片９及び操作片１０を連結状態を維持するための固定部材が設けられることが望ましい。また、挟持部９ｃは、側部９ｄと同一の金属材によりこれと一体的に形成されても良い。この他、挟持部９ｃは、実施例１に係る挟持部４のように側部９ｄと別体的に構成されても良い。
【産業上の利用可能性】
【００３３】
請求項１乃至請求項３に記載された発明は、確実に複数本の電線等を挟持可能なクリップとして利用可能である。
【符号の説明】
【００３４】
１，１ａ…クリップ  ２…支軸  ３…把持部  ３ａ…一端  ３ｂ…他端  ３ｃ…側部  ４…挟持部  ４ａ…先端部  ４ｂ…基端部  ４ｃ…凹面  ４ｄ…凸面  ５…傾動軸  ６，６ａ…コイルバネ  ７…クリップ  ８…把持部  ９…把持片  ９ａ…先端部  ９ｂ…基端部  ９ｃ…挟持部  ９ｄ…側部  ９ｅ，９ｆ…凹凸面  ９ｇ…嵌入部  １０…操作片  １０ａ…一端  １０ｂ…他端  １０ｃ…突出部  １１…スライド部材  １１ａ，１１ｂ…スライド片  １１ｃ…コイルバネ  １１ｄ…係止部  １２ａ，１２ｂ…電線  １００…クリップ  １０１…支軸  １０２…把持部  １０２ａ…一端  １０２ｂ…挟持部
【図１】
0005856113.tif 000002
【図２】
0005856113.tif 000003
【図３】
0005856113.tif 000004
【図４】
0005856113.tif 000005
【図５】
0005856113.tif 000006
【図６】
0005856113.tif 000007